(57)【要約】【課題】ユーザーが興味を持っている機器の新製品などの広告を、容易かつタイムリーに表示する広告システムおよび広告方法を提供する。【解決手段】管理対象である機器７０を管理する機器管理装置２００を有し、機器７０の広告を表示する広告システム１００であって、機器管理装置２００と機器７０との通信接続状況を管理する接続管理手段２１０と、接続管理手段２１０によって管理された通信接続状況に基づいて機器７０の広告を表示させる広告管理手段２４０と、を備えたことを特徴とするもの。【選択図】図１
2011085760.tif 000002
【特許請求の範囲】
【請求項１】
管理対象である機器を管理する機器管理装置を有し、前記機器の広告を表示する広告システムであって、
前記機器管理装置と前記機器との通信接続状況を管理する接続管理手段と、
この接続管理手段によって管理された前記通信接続状況に基づいて前記機器の広告を表示させる広告管理手段と、
を備えたことを特徴とする広告システム。
【請求項２】
前記通信接続状況を表す通信接続履歴および前記機器の広告を記憶する記憶手段と、この記憶手段によって記憶された前記通信接続履歴に基づいて前記機器の通信接続頻度を抽出する接続頻度抽出手段とを備え、
前記広告管理手段は、前記接続頻度抽出手段によって抽出された前記通信接続頻度と前記記憶手段によって記憶された前記広告とに基づいて、前記機器の広告を表示させることを特徴とする請求項１に記載の広告システム。
【請求項３】
前記機器の広告を記憶する記憶手段を備え、
前記広告管理手段は、前記通信接続状況を表す現在通信接続中の機器と前記記憶手段によって記憶された前記広告とに基づいて、前記機器の広告を表示させることを特徴とする請求項１または２に記載の広告システム。
【請求項４】
前記記憶手段によって記憶された前記広告を確認する広告確認手段を備えたことを特徴とする請求項２または３に記載の広告システム。
【請求項５】
前記機器の広告を前記記憶手段に登録する広告登録手段を備えたことを特徴とする請求項２から４のいずれか一項に記載の広告システム。
【請求項６】
前記広告管理手段は、前記機器の広告として前記機器の最新広告を取得し、この最新広告を表示させることを特徴とする請求項１から５のいずれか一項に記載の広告システム。
【請求項７】
前記広告管理手段は、前記機器の管理状況を表示する画面に、前記機器の広告をポップアップ画面で表示させることを特徴とする請求項１から６のいずれか一項に記載の広告システム。
【請求項８】
前記通信接続状況および前記広告のデータは、ＸＭＬ形式によって表されていることを特徴とする請求項１から７のいずれか一項に記載の広告システム。
【請求項９】
管理対象である機器を管理する機器管理装置を有し、前記機器の広告を表示する広告方法であって、
前記機器管理装置と前記機器との通信接続状況を管理する接続管理ステップと、
この接続管理ステップによって管理された前記通信接続状況に基づいて前記機器の広告を表示させる広告管理ステップと、
を備えたことを特徴とする広告方法。
【発明の詳細な説明】
【技術分野】
【０００１】
本発明は、フィールド機器などの機器を管理する機器管理装置を有するとともに、機器の広告、特にユーザーが興味を持っている機器の広告を表示する広告システムおよび広告方法に関するものである。
【背景技術】
【０００２】
プロセス制御に用いられる圧力伝送器、流量計などのフィールド機器に対して設定、調整などの管理を行うフィールド機器管理装置が一般に知られており、非特許文献１に記載されている。
【０００３】
このようなフィールド機器管理装置について、図７を用いて説明する。図７は、フィールド機器管理装置１０とフィールド機器７０のシステム構成図である。
【０００４】
図７において、フィールド機器管理装置１０は、起動手段２０、フィールド機器設定ツール３０、通信手段４０および表示手段５０を備える。通信手段４０は、ネットワーク６０を介してフィールド機器７０に接続されている。なお、フィールド機器設定ツール３０は、コンピュータが所定のソフトウエアを実行することによって実現できる。
【０００５】
ユーザーからの起動指示に従い、起動手段２０から起動信号が発せられ、フィールド機器設定ツール３０がこの信号を受け取って起動すると、フィールド機器設定ツール３０は、通信手段４０およびネットワーク６０を介して、管理対象であるフィールド機器７０との通信接続を行う。
【０００６】
その後、フィールド機器設定ツール３０は、機器タグなどの機器識別情報および機器パラメータをフィールド機器７０から取得し、機器タグおよび機器パラメータ情報を表示手段５０に表示させる。
【０００７】
また、ユーザーが、フィールド機器設定ツール３０に対してパラメータの設定、調整を指示すると、フィールド機器設定ツール３０は、設定、調整実行コマンドをフィールド機器７０へ送信する。
【０００８】
そして、フィールド機器７０において設定、調整が実行されて、実行結果がフィールド機器設定ツール３０に返信されると、フィールド機器設定ツール３０は、設定、調整後のパラメータの値などを表示手段５０に表示させる。
【０００９】
このように、フィールド機器管理装置１０には、フィールド機器７０の設定、調整状況（管理状況）を表すパラメータの値などは表示されるが、フィールド機器７０の製品に関する広告は表示されない。
【００１０】
一方、近年、インターネットの普及などに伴い、プロセス制御の分野以外において、ネットワークを介した広告宣伝システムが知られており、例えばインターネット上で、製品の広告が貼ってあるＷｅｂページを頻繁に見ることができる。また、Ｗｅｂページだけでなく、製品にも広告システムが搭載されており、新製品や関連製品の宣伝が製品上で行なわれている。
【００１１】
この一例として、ネットワークに接続された自動血圧測定装置に広告を配信して表示させる広告システムについて、特許文献１に記載されている。
【００１２】
この広告システムは、商品の売り上げ実績値に基づいて、広告の表示割合を決定して、その広告を表示する。例えば、売り上げ実績値の良い商品の広告の表示割合を高くしたり、逆に、売り上げ実績値の悪い商品の広告の表示割合を高くしたりすることができる。
【先行技術文献】
【非特許文献】
【００１３】
【非特許文献１】廣岡勲、外３名、「新時代のフィールド機器管理ツールＦｉｅｌｄＭａｔｅ」、横河技報、横河電機株式会社、２００７年５月２０日、Ｖｏｌ．５１  Ｎｏ．２（２００７）  ｐ．４５−４８
【特許文献】
【００１４】
【特許文献１】特開２００６−２５８９７８号公報
【発明の概要】
【発明が解決しようとする課題】
【００１５】
（１）しかし、ユーザーが興味を持っているフィールド機器の新製品、またはバージョンアップされた製品が販売されるとともに、新製品などの広告がフィールド機器ベンダーの作成するＷｅｂページに掲載されても、ユーザーは、このＷｅｂページを自ら閲覧しなければならず、新製品などの広告を容易かつタイムリーに見ることはできない、という問題がある。
【００１６】
（２）インターネット上のＷｅｂページでは、ユーザが、Ｗｅｂページをクリックする分野などを特定して、広告を表示させるようなシステムも存在するが、クリックして得られる情報だけでは、ユーザーの興味のある分野を特定することが困難なため、必ずしもユーザが興味を持っている製品の広告がＷｅｂページに表示されるとは限らない、という問題がある。
【００１７】
（３）自動血圧測定装置に広告を配信して表示させる広告システムでは、売り上げ実績値に基づいて商品の広告を表示するが、商品の売り上げ実績値は、すべてのユーザーを対象としたものなので、この商品を全く又はほとんど購入していない特定ユーザーにとっては、興味を持っていない商品の広告が表示される、という問題がある。
【００１８】
本発明は、ユーザーが興味を持っている機器の新製品などの広告を、容易かつタイムリーに表示する広告システムおよび広告方法を提供することである。
【課題を解決するための手段】
【００１９】
このような目的を達成するために、請求項１の発明は、
管理対象である機器を管理する機器管理装置を有し、前記機器の広告を表示する広告システムであって、
前記機器管理装置と前記機器との通信接続状況を管理する接続管理手段と、
この接続管理手段によって管理された前記通信接続状況に基づいて前記機器の広告を表示させる広告管理手段と、
を備えたことを特徴とする。
請求項２の発明は、請求項１に記載の発明において、
前記通信接続状況を表す通信接続履歴および前記機器の広告を記憶する記憶手段と、この記憶手段によって記憶された前記通信接続履歴に基づいて前記機器の通信接続頻度を抽出する接続頻度抽出手段とを備え、
前記広告管理手段は、前記接続頻度抽出手段によって抽出された前記通信接続頻度と前記記憶手段によって記憶された前記広告とに基づいて、前記機器の広告を表示させることを特徴とする。
請求項３の発明は、請求項１または２に記載の発明において、
前記機器の広告を記憶する記憶手段を備え、
前記広告管理手段は、前記通信接続状況を表す現在通信接続中の機器と前記記憶手段によって記憶された前記広告とに基づいて、前記機器の広告を表示させることを特徴とする。
請求項４の発明は、請求項２または３に記載の発明において、
前記記憶手段によって記憶された前記広告を確認する広告確認手段を備えたことを特徴とする。
請求項５の発明は、請求項２から４のいずれか一項に記載の発明において、
前記機器の広告を前記記憶手段に登録する広告登録手段を備えたことを特徴とする。
請求項６の発明は、請求項１から５のいずれか一項に記載の発明において、
前記広告管理手段は、前記機器の広告として前記機器の最新広告を取得し、この最新広告を表示させることを特徴とする。
請求項７の発明は、請求項１から６のいずれか一項に記載の発明において、
前記広告管理手段は、前記機器の管理状況を表示する画面に、前記機器の広告をポップアップ画面で表示させることを特徴とする。
請求項８の発明は、請求項１から７のいずれか一項に記載の発明において、
前記通信接続状況および前記広告のデータは、ＸＭＬ形式によって表されていることを特徴とする。
請求項９の発明は、管理対象である機器を管理する機器管理装置を有し、前記機器の広告を表示する広告方法であって、
前記機器管理装置と前記機器との通信接続状況を管理する接続管理ステップと、
この接続管理ステップによって管理された前記通信接続状況に基づいて前記機器の広告を表示させる広告管理ステップと、
を備えたことを特徴とする。
【発明の効果】
【００２０】
本発明によれば、接続管理手段が、機器管理装置と機器との通信接続状況を管理し、広告管理手段が、この管理された通信接続状況に基づいて機器の広告を表示させる。これによって、ユーザーが興味を持っている機器の新製品またはバージョンアップされた製品の広告を、容易かつタイムリーに表示できるとともに、表示された広告の機器の販売促進に役立てることができる。
【図面の簡単な説明】
【００２１】
【図１】本発明を適用した広告システムの構成図の例である。
【図２】本発明を適用した広告表示処理のフローチャート図の例である。
【図３】接続頻度抽出手段の動作を説明するためのデータ構造図の例である。
【図４】製品情報管理手段の動作を説明するためのデータ構造図の例である。
【図５】製品の最新広告のデータ構造図の例である。
【図６】機器の管理状況および広告を表示した画面図の例である。
【図７】背景技術で示した、フィールド機器管理装置とフィールド機器のシステム構成図の例である。
【発明を実施するための形態】
【００２２】
図１は、本実施例を適用した広告システム１００の構成図であり、これを用いて説明する。なお、図１において、図７と同一のものは同一符号を付し説明を省略する。
【００２３】
図１において、広告システム１００は、ネットワーク６０、フィールド機器７０、フィールド機器管理装置２００および製品最新情報データベース３００を備える。フィールド機器管理装置２００内の通信手段４０は、ネットワーク６０を介して、フィールド機器７０および製品最新情報データベース３００に接続されている。
【００２４】
フィールド機器管理装置２００は、起動手段２０、フィールド機器設定ツール３０、通信手段４０、表示手段５０、接続管理手段２１０、記憶手段２２０、接続頻度抽出手段２３０、製品情報管理手段２４０、製品情報確認手段２５０および製品情報登録手段２６０を備える。なお、記憶手段２２０には、接続履歴データベース２２１、製品情報設定２２２および製品情報データベース２２３が記憶されている。
【００２５】
起動手段２０から起動信号を受け取ったフィールド機器設定ツール３０は、通信手段４０およびネットワーク６０を介して、管理対象であるフィールド機器７０との通信接続を行う。
【００２６】
フィールド機器設定ツール３０は、フィールド機器７０と通信接続されたことの通知を接続管理手段２１０へ送る。接続管理手段２１０は、フィールド機器設定ツール３０から受け取った、フィールド機器管理装置２００とフィールド機器７０との通信接続状況を管理し、これを通信接続履歴として接続履歴データベース２２１に記憶させる。
【００２７】
接続頻度抽出手段２３０は、接続履歴データベース２２１から通信接続履歴情報ＳＲを受け取り、通信接続頻度の多い順に機器の製品情報ＳＨを抽出し、製品情報管理手段（広告管理手段）２４０へ送る。
【００２８】
なお、図１では、１つのフィールド機器７０しか図示されていないが、複数のフィールド機器が接続されていてもよく、この場合、接続履歴データベース２２１には、複数のフィールド機器との通信接続履歴が記憶されている。
【００２９】
製品情報管理手段２４０は、通信接続頻度の多い機器の製品情報ＳＨ、および製品情報データベース（製品広告データベース）２２３から新製品情報（新製品の広告情報）を含む製品情報ＳＪを受け取り、両者を照合する。照合の結果、一致した機器について、製品最新情報データベース（製品最新広告データベース）３００へ送る製品情報ＰＤ、および表示手段５０に表示させる広告情報ＫＤを生成する。
【００３０】
製品情報管理手段２４０は、製品最新情報データベース３００内の製品の最新情報ＮＤ（最新広告情報）を、通信手段４０およびネットワーク６０を介して受け取り、製品情報データベース２２３に記憶させるとともに、表示手段５０に表示させる。
【００３１】
製品情報確認手段（広告確認手段）２５０は、製品情報データベース２２３内の製品情報ＳＪを受け取り、新製品情報などを確認する。また、製品情報登録手段（広告登録手段）２６０は、新製品情報などの広告情報を、製品情報データベース２２３内の製品情報ＳＪに書き込み、登録する。
【００３２】
つぎに、図２の広告表示処理のフローチャート図を用いて、広告システム１００によって実行される広告表示処理の動作について説明する。
【００３３】
図２のステップＳ１０において、ユーザーからの起動指示に従って、フィールド機器設定ツール３０が起動する。
【００３４】
ステップＳ２０において、フィールド機器設定ツール３０は、通信手段４０およびネットワーク６０を介して、フィールド機器７０と通信接続できるか否かを確認する。
【００３５】
フィールド機器７０と通信接続されない場合（ステップＳ２０のＮｏ）、ステップＳ２０を繰り返し行い、通信接続を試みる。
【００３６】
フィールド機器７０と通信接続された場合（ステップＳ２０のＹｅｓ）、フィールド機器設定ツール３０は、通信接続されたことを接続管理手段２１０へ通知する。
【００３７】
ステップＳ３０において、接続管理手段２１０は、フィールド機器設定ツール３０から受け取った、フィールド機器管理装置２００とフィールド機器７０との通信接続状況を管理し、これを通信接続履歴として接続履歴データベース２２１に記憶させる（接続管理ステップ）。接続履歴データベース２２１には、ユーザ名、接続日時、機器ベンダー、通信プロトコル、Ｄｅｖｉｃｅ  Ｔｙｐｅ、Ｄｅｖｉｃｅ  Ｒｅｖｉｓｉｏｎの情報が記憶される。
【００３８】
ステップＳ４０において、製品情報管理手段２４０は、製品情報設定２２２を取得し、その内容を確認する。製品情報設定２２２には、現在通信接続されている機器の製品情報を確認するか否かを示すデータＡ、通信接続履歴の多い機器の製品情報を確認するか否かを示すデータＢ、製品の最新情報を確認するか否かを示すデータＣ、通信接続履歴の多い機器の製品情報を確認する場合、確認を行う機器の最大台数を示すデータＤ（初期値は５台）、および製品情報の表示時間（初期値は５秒）を示すデータＥが記憶されている。
【００３９】
現在通信接続されている機器の製品情報を確認するか否かを示すデータＡに関わらず、通信接続履歴の多い機器の製品情報を確認するか否かを示すデータＢが「確認する」である場合、ステップＳ５０のＹｅｓおよびステップＳ６０のＹｅｓを経由し、またはステップＳ５０のＮｏおよびステップＳ８０のＹｅｓを経由して、ステップＳ７０へ移行する。
【００４０】
ステップＳ７０において、接続頻度抽出手段２３０は、接続履歴データベース２２１から通信接続履歴情報ＳＲを受け取り、通信接続頻度の多い順に機器の製品情報ＳＨを抽出し、製品情報管理手段２４０へ送る。
【００４１】
接続頻度抽出手段２３０は、通信接続履歴情報ＳＲの接続日時、機器ベンダー、通信プロトコルおよびＤｅｖｉｃｅ  Ｔｙｐｅの情報から、通信接続頻度の多い機器順にソートし、ユーザー名毎に管理して、製品情報ＳＨを抽出する。
【００４２】
同一種類の機器であるが、Ｄｅｖｉｃｅ  Ｒｅｖｉｓｉｏｎの情報が異なっている場合、それらは同じ機器の通信接続履歴としてカウントされる。また、通信接続頻度が同じ機器に関しては、ソート時に最終接続日時の新しい機器が優先される。
【００４３】
ステップＳ９０において、製品情報管理手段２４０は、通信接続頻度の多い順にソートされた機器の製品情報ＳＨ、および製品情報データベース２２３から製品情報ＳＪを受け取り、両者を照合する。
【００４４】
具体的には、両者の機器ベンダー、通信プロトコルおよびＤｅｖｉｃｅ  Ｔｙｐｅの情報を照合し、一致した機器の製品情報ＰＤを、製品最新情報データベース３００へ送る情報として生成する。さらに、一致した機器の新製品情報を含む広告情報ＫＤを表示情報として生成する。
【００４５】
一方、製品情報設定２２２のうち、現在通信接続されている機器の製品情報を確認するか否かを示すデータＡが「確認する」、および通信接続履歴の多い機器の製品情報を確認するか否かを示すデータＢが「確認しない」である場合、ステップＳ５０のＹｅｓおよびステップＳ６０のＮｏを経由して、ステップＳ１００へ移行する。
【００４６】
なお、現在通信接続されている機器の製品情報を確認するか否かを示すデータＡ、および通信接続履歴の多い機器の製品情報を確認するか否かを示すデータＢが、いずれも「確認しない」である場合、ステップＳ５０のＮｏおよびステップＳ８０のＮｏを経由して、処理を終了する。
【００４７】
ステップＳ１００へ移行後、製品情報管理手段２４０は、通信接続頻度の多い順にソートされた機器の製品情報ＳＨ、および製品情報データベース２２３から製品情報ＳＪを受け取る。
【００４８】
製品情報管理手段２４０は、製品情報ＳＨ内に示された現在通信接続されている機器の製品情報と製品情報ＳＪとを照合する。
【００４９】
具体的には、両者の機器ベンダー、通信プロトコルおよびＤｅｖｉｃｅ  Ｔｙｐｅの情報を照合し、一致した機器の製品情報ＰＤを、製品最新情報データベース３００へ送る情報として生成する。さらに、一致した機器の新製品情報を含む広告情報ＫＤを表示情報として生成する。
【００５０】
ステップＳ９０またはステップＳ１００を終了した後、ステップＳ１１０に移行する。なお、現在通信接続されている機器の製品情報を確認するか否かを示すデータＡ、および通信接続履歴の多い機器の製品情報を確認するか否かを示すデータＢが、いずれも「確認する」である場合、ステップＳ９０およびＳ１００の両方の処理を実行して、ステップＳ１１０に移行してもよい。
【００５１】
ステップＳ１１０において、製品の最新情報を確認するか否かを示すデータＣが「確認する」である場合（ステップＳ１１０のＹｅｓ）、ステップＳ１２０へ移行する。
【００５２】
なお、製品の最新情報を確認するか否かを示すデータＣが「確認しない」である場合（ステップＳ１１０のＮｏ）、ステップＳ１３０へ移行する。
【００５３】
ステップＳ１２０において、製品情報管理手段２４０は、通信手段４０およびネットワーク６０を介して、製品情報ＰＤを製品最新情報データベース３００へ送る。
【００５４】
そして、製品最新情報データベース３００から、製品情報ＰＤに対応する製品の最新情報ＮＤを取得し、製品情報データベース２２３に記憶させるとともに（具体的には、製品情報ＳＪ内の新製品情報が更新される）、製品の最新情報ＮＤから広告情報ＫＤを表示情報として生成する。
【００５５】
製品最新情報データベース３００は、例えば、機器ベンダーのサイトに設置されているデータサーバー（記憶手段）などに記憶されており、機器ベンダーが最新情報を逐次更新する。
【００５６】
ステップＳ１３０において、表示手段５０は、製品情報管理手段２４０によって生成された広告情報ＫＤを表示する（広告管理ステップ）。以上をもって、広告表示処理は終了する。
【００５７】
なお、頻繁に同じ製品情報を見るのを避けるため，広告情報ＫＤには、過去に見た（例えば、過去１週間）同じ製品情報は除かれており、表示されない。これにより、同じ情報を頻繁に見ることを避けることができる。
【００５８】
また、ステップＳ１１０およびＳ１２０の処理は、ステップＳ４０とＳ５０との間で行ってもよい。製品の最新情報ＮＤを製品情報データベース２２３に記憶させた後、ステップＳ５０以降を実行することができる。
【００５９】
本実施例によれば、接続管理手段２１０は通信接続履歴を管理および記憶手段２２０に記憶させ、製品情報管理手段２４０は、接続頻度抽出手段２３０によって抽出された通信接続頻度の多い機器の製品情報ＳＨと製品情報データベース２２３の製品情報ＳＪとを照合し、一致した機器の広告情報ＫＤを生成して表示手段５０に表示させる。なお、通信接続頻度の多い機器の製品情報とともに、あるいはこの代わりに、現在通信接続されている機器の製品情報を用いてもよい。
【００６０】
通信接続頻度の多い機器、または現在通信接続され管理されている機器は、ユーザーが興味を持っている機器なので、このような機器の広告を表示することによって、ユーザーが興味を持っている機器の新製品またはバージョンアップされた製品の広告を、容易かつタイムリーに表示できるとともに、表示された広告の機器の販売促進に役立てることができる。
【００６１】
また、製品情報管理手段２４０が、製品最新情報データベース３００から最新情報ＮＤを取得し、表示させることによって、ユーザーが興味を持っている機器の最新情報の広告を、容易かつタイムリーに表示できるとともに、表示された広告の機器の販売促進に役立てることができる。
【００６２】
つぎに、図２のステップＳ７０の通信接続頻度抽出処理を、図３のデータ構造図を用いて説明する。
【００６３】
図３において、（ａ）は通信接続履歴情報ＳＲのデータ構造図、（ｂ）は通信接続頻度の多い順にソートされたデータ構造図、（ｃ）は、通信接続頻度の多い順から、製品情報設定２２２のデータＤの示す台数分（初期値５台分）を抽出した製品情報ＳＨのデータ構造図である。
【００６４】
図３（ａ）において、通信接続履歴情報ＳＲは、通信接続履歴として、接続日時の新しい順に、ユーザ名、接続日時、機器ベンダー、通信プロトコル、Ｄｅｖｉｃｅ  Ｔｙｐｅ、Ｄｅｖｉｃｅ  Ｒｅｖｉｓｉｏｎの情報を有する。
【００６５】
接続頻度抽出手段２３０は、通信接続履歴情報ＳＲの接続日時、機器ベンダー、通信プロトコルおよびＤｅｖｉｃｅ  Ｔｙｐｅが同じ機器の通信接続頻度を算出し、通信接続頻度の多い順にソートする。図３（ｂ）がソートしたデータであり、通信接続頻度の多い機器から順に並んでいる。
【００６６】
接続頻度抽出手段２３０は、通信接続頻度の多い機器のうち、上位５台分の製品情報ＳＨを抽出する。図３（ｃ）が製品情報ＳＨのデータであり、上位５台分の機器が並んでいる。
【００６７】
つぎに、図２のステップＳ９０の表示情報生成処理を、図４のデータ構造図を用いて説明する。
【００６８】
図４において、（ａ）は製品情報ＳＨのデータ構造図、（ｂ）は製品情報データベース２２３内の製品情報ＳＪのデータ構造図、（ｃ）は製品最新情報データベース３００へ送る製品情報ＰＤのデータ構造図、（ｄ）は表示手段５０に表示させる広告情報ＫＤのデータ構造図である。
【００６９】
図４（ａ）は、図３（ｃ）で説明した製品情報ＳＨのデータ構造図である。図４（ｂ）において、製品情報ＳＪは、機器ベンダー、通信プロトコル、Ｄｅｖｉｃｅ  Ｔｙｐｅ、新製品情報、更新日時、表示日時の情報を有する。
【００７０】
製品情報管理手段２４０は、製品情報ＳＨ（ａ）と製品情報ＳＪ（ｂ）とを照合し、機器ベンダー、通信プロトコルおよびＤｅｖｉｃｅ  Ｔｙｐｅの情報が一致した機器の製品情報ＰＤ（ｃ）を生成する。製品情報ＰＤ（ｃ）は、ユーザ名、機器ベンダー、通信プロトコル、Ｄｅｖｉｃｅ  Ｔｙｐｅ、新製品情報、更新日時および表示日時の情報を有する。
【００７１】
製品情報管理手段２４０は、製品情報ＰＤ（ｃ）から広告情報ＫＤ（ｄ）を生成する。図４（ｄ）が広告情報ＫＤのデータであり、製品情報ＰＤの中の新製品情報（ＸＸＸ．ｘｍｌなど）がそれぞれ抽出されて、広告情報ＫＤが構成される。
【００７２】
なお、図２のステップＳ１００の表示情報生成処理では、製品情報ＳＨ（ａ）内に示された現在通信接続されている機器の製品情報（図示しない）と製品情報ＳＪ（ｂ）とを照合し、製品情報ＰＤ（ｃ）および広告情報ＫＤ（ｄ）を生成する。
【００７３】
つぎに、図５を用いて、製品最新情報データベース３００から取得した、製品情報ＰＤに対応する製品の最新情報ＮＤのデータ構造図について説明する。
【００７４】
図５において、最新情報ＮＤは、図４（ｃ）の製品情報ＰＤに対応する最新情報（ＸＸＸ＿ｒｅｖ１．ｘｍｌなど）、機器ベンダー、通信プロトコル、Ｄｅｖｉｃｅ  Ｔｙｐｅから構成される。
【００７５】
つぎに、図６を用いて、図２のステップＳ１３０で表示手段５０に表示される画面について説明する。
【００７６】
図６において、表示手段５０には、フィールド機器設定ツール３０の管理画面５０ａが表示される。
【００７７】
さらに、表示手段５０の右下に、広告情報ＫＤを表示する表示広告５０ｂが表示される。表示広告５０ｂは、ポップアップ画面のように表示され、下の画面が透けて見える透過表示になっている。
【００７８】
また、表示広告５０ｂは、製品情報設定２２２のうち、製品情報の表示時間（初期値は５秒）を示すデータＥの時間だけ表示されて消える。その後、他の機器の表示広告５０ｂがあれば、同様に表示される。
【００７９】
表示広告５０ｂは、新製品情報の概要しか表示されていないが、新製品情報が記述されたＷｅｂページへのリンクが貼り付けてあり、表示広告５０ｂをクリックすることで、新製品情報の詳細が記述されているＷｅｂページへ移動して、詳細情報を見ることができる。
【００８０】
このような形態で広告が表示されることによって、フィールド機器管理装置２００を使用しているユーザーは、興味を持っている機器の広告を、容易かつタイムリーに見ることができるとともに、ポップアップ画面で広告が表示されることによって、表示広告５０ｂが視覚上、管理画面５０ａの邪魔にならず、フィールド機器の管理作業に支障が生じないという利点がある。
【００８１】
なお、通信接続履歴情報ＳＲ、製品情報ＳＨ、ＳＪ、ＰＤ、広告情報ＫＤおよび最新情報ＮＤは、ＸＭＬ（ｅＸｔｅｎｓｉｂｌｅ  Ｍａｒｋｕｐ  Ｌａｎｇｕａｇｅ）形式に変換されたファイルであってもよい。
【００８２】
また、製品情報確認手段２５０によって、ユーザーは、必要に応じて、製品情報データベース２２３内の製品情報ＳＪを確認でき、すべての製品情報および製品情報の有無を一括して確認することができる。
【００８３】
さらに、製品情報登録手段２６０によって、ユーザーが興味を持っている機器の製品情報を製品情報ＳＪに登録しておくことができる。また、登録した情報が、製品情報管理手段２４０によって、製品情報ＰＤとして製品最新情報データベース３００へ送られれば、その最新情報ＮＤを得られるとともに、機器ベンダーは、ユーザーが興味を持っている機器を知ることができ、今後の製品開発に役立てることができる。
【００８４】
なお、ネットワーク６０は、インターネット、電話回線、フィールドバスおよび４〜２０ｍＡの電流出力線などの有線の伝送線路のほか、携帯電話網、通信衛星などの無線通信によっても実現することができる。
【００８５】
記憶手段２２０内の各データベース２２１、２２２、２２３は、別々のメモリに記憶されていてもよく、また、記憶手段２２０が、フィールド機器管理装置２００の外部に設けられていてもよい。
【００８６】
なお、本発明は、前述の実施例に限定されることなく、その本質を逸脱しない範囲で、さらに多くの変更および変形を含む。また、前述した各手段の組み合わせ以外の組み合わせを含むことができる。
【符号の説明】
【００８７】
７０  フィールド機器
１００  広告システム
２００  フィールド機器管理装置
２１０  接続管理手段
２２０  記憶手段
２２１  接続履歴データベース
２２２  製品情報設定
２２３  製品情報データベース（製品広告データベース）
２３０  接続頻度抽出手段
２４０  製品情報管理手段（広告管理手段）
２５０  製品情報確認手段（広告確認手段）
２６０  製品情報登録手段（広告登録手段）
３００  製品最新情報データベース（製品最新広告データベース）
【図１】
2011085760.tif 000003
【図２】
2011085760.tif 000004
【図３】
2011085760.tif 000005
【図４】
2011085760.tif 000006
【図５】
2011085760.tif 000007
【図７】
2011085760.tif 000008
【図６】
2011085760.tif 000009